(57)【要約】【課題】堆積物の戻りや、巻き上げ等を起こすことなく効率的に堆積物を掻き寄せることが可能な堆積物の掻寄装置を提供する。【解決手段】掻寄架台２０の往動過程で、往動方向側の当接部材８３と当接するカム部材８７によって掻寄羽根１２を下方に垂下する往動位置としての第一揺動位置から上方に揺動して復動位置としての第二揺動位置とする一方、掻寄架台２０の復動過程で、復動方向側の当接部材８４と当接するカム部材８７によって掻寄羽根１２を第二揺動位置から第一揺動位置に復帰可能とする。このため、往動過程で、掻寄羽根１２が層の底に近接することとなるので層底部の堆積物の往動方向側への掻き寄せが可能となる一方、復動過程では、掻寄羽根１２が槽の底から離間されるので、往動時に掻き寄せた堆積物との接触や堆積物の巻き上げ等を確実に防止できる。【選択図】　図１
2004130228.tif 000002
【特許請求の範囲】
【請求項１】
掻寄羽根を槽の底に沿って移動させて前記槽の底に堆積する堆積物を掻き寄せる堆積物の掻寄装置であって、
前記掻寄羽根を前記掻寄羽根の前記移動方向と直交する水平軸周りに揺動自在に支持する掻寄羽根支持手段と、
前記掻寄羽根支持手段が設置される掻寄架台と、
前記掻寄架台を前記槽の底に平行に往復運動させる駆動手段と、
前記槽に設置され前記掻寄架台の往復方向に離間された一対の当接部材と、
前記掻寄架台に支持され、前記掻寄架台が往動する過程で往動方向側の前記当接部材と当接することにより前記掻寄羽根を前記水平軸の下方に位置する往動位置としての第一揺動位置から上方に揺動させて復動位置としての第二揺動位置とすると共に、前記掻寄架台が復動する過程で復動方向側の前記当接部材と当接することにより前記掻寄羽根を前記復動位置としての前記第一揺動位置に復帰可能とするカム部材と、
を備えることを特徴とする、堆積物の掻寄装置。
【請求項２】
前記カム部材は、一端部と他端部との間が前記往復方向に直交する軸回りに回動自在に前記掻寄架台に支持され、前記掻寄架台が往動する過程で前記一端部が往動方向側の前記当接部材と当接して回動され前記他端部が前記掻寄羽根又は前記掻寄羽根支持手段に当接して前記掻寄羽根を前記第一揺動位置から上方に揺動させて前記第二揺動位置とすると共に、前記掻寄架台が復動する過程で前記一端部が復動方向側の前記当接部材と当接して前記回動と逆方向に回動され前記掻寄羽根を前記第一揺動位置に復帰可能とすることを特徴とする、請求項１に記載の堆積物の掻寄装置。
【請求項３】
前記掻寄羽根又は前記掻寄羽根支持手段には、前記掻寄羽根が前記第二揺動位置まで揺動された際に前記カム部材の他端部と係合して前記掻寄羽根を前記第二揺動位置にとどめさせる係合部が形成されることを特徴とする、請求項２に記載の堆積物の掻寄装置。
【請求項４】
前記第二揺動位置は前記第一揺動位置よりも往動方向側とされると共に、前記掻寄架台に設置され前記掻寄羽根が前記第一揺動位置より復動方向側へ揺動することを制限する掻寄羽根揺動制限部材を備えることを特徴とする、請求項１〜３に記載の堆積物の掻寄装置。
【請求項５】
前記掻寄羽根と前記掻寄羽根を支持する前記掻寄羽根支持手段との組合せを複数有し前記掻寄羽根支持手段は前記掻寄架台に対して前記往復方向に複数並設されることを特徴とする、請求項１〜４の何れか一項に記載の堆積物の掻寄装置。
【請求項６】
前記掻寄羽根の各々の揺動動作を互いに連動させる連結手段を備え、前記カム部材及び前記当接部材は少なくとも前記組合せの内の一つに対して設けられることを特徴とする、請求項５に記載の堆積物の掻寄装置。
【請求項７】
前記駆動手段は、前記掻寄架台の往復方向に垂直な軸回りに正逆回転される歯車と、前記掻寄架台の往復方向に延在すると共に前記掻寄架台に対して曲折不能に固定され前記歯車と噛合可能な噛合部材と、を備えることを特徴とする、請求項１〜６の何れか一項に記載の堆積物の掻寄装置。
【発明の詳細な説明】
【０００１】
【発明の属する技術分野】
本発明は、槽の底に堆積した堆積物を掻き寄せる堆積物の掻寄装置に関する。
【０００２】
【従来の技術】
従来より、沈殿池等の槽の底に堆積する堆積物の掻寄装置として、堆積物を掻き寄せるフライト（掻寄羽根）を水平方向に複数配置した梯子状の掻寄架台を、槽の底部で往復運動させる、いわゆる、レシプロ式の掻寄装置が知られている。
【０００３】
このような、レシプロ式の掻寄装置においては、掻寄架台を往動しフライトによって堆積物を一方側に掻き寄せた後、掻寄架台を復動して再び元の位置に復帰させる際に、往動時に掻き寄せた堆積物をフライトが元の位置に戻さないようにする必要がある。
【０００４】
そこで、従来のレシプロ型の掻寄装置においては、フライトをくさび形とし、掻寄架台の往動時にこのフライトの垂直面で堆積物を一方側に掻き寄せる一方、復動時には往動時よりも速いスピードで掻寄架台を逆方向に駆動し、掻き寄せた堆積物がフライトの斜面を乗り越えるようにして、堆積物の戻りを防止するくさび式のレシプロ型掻寄装置（例えば、特許文献１参照）や、復動時に掻寄架台の往動方向側を槽の外側から持ち上げて掻寄架台を往動方向側から復動方向側に向かって下り勾配となるように傾け、復動時において掻寄架台の往動方向側のフライトが往動時に掻き寄せた堆積物を戻さないようにする傾斜式のレシプロ型掻寄機（例えば、特許文献２参照）等が知られている。
【０００５】
【特許文献１】
特開平１１−１３７９１２号公報
【特許文献２】
特開２０００−３５４７０５号公報
【０００６】
【発明が解決しようとする課題】
しかし、くさび式のレシプロ型掻寄装置においては、掻寄架台の復動時において堆積物がフライトの斜面をうまく乗り越えず、堆積物を戻したり巻き上げてしまうことが多く、また、傾斜式のレシプロ型掻寄装置でも、特に、掻寄架台の復動方向側のフライトが、堆積物を戻したり巻き上げたりすることが多く、堆積物の掻き寄せを効率的に行えなかった。
【０００７】
本発明は、上記課題に鑑みてなされたものであり、堆積物の戻りや、巻き上げ等を起こすことなく効率的に堆積物を掻き寄せることが可能な堆積物の掻寄装置を提供することを目的とする。
【０００８】
【課題を解決するための手段】
本発明に係る堆積物の掻寄装置は、掻寄羽根を槽の底に沿って移動させて槽の底に堆積する堆積物を掻き寄せる堆積物の掻寄装置であって、掻寄羽根を掻寄羽根の移動方向と直交する水平軸周りに揺動自在に支持する掻寄羽根支持手段と、掻寄羽根支持手段が設置される掻寄架台と、掻寄架台を槽の底に平行に往復運動させる駆動手段と、槽に設置され掻寄架台の往復方向に離間された一対の当接部材と、掻寄架台に支持され、掻寄架台が往動する過程で往動方向側の当接部材と当接することにより掻寄羽根を水平軸の下方に位置する往動位置としての第一揺動位置から上方に揺動させて復動位置としての第二揺動位置とすると共に、掻寄架台が復動する過程で復動方向側の当接部材と当接することにより掻寄羽根を復動位置としての第一揺動位置に復帰可能とするカム部材と、を備えることを特徴とする。
【０００９】
本発明の堆積物の掻寄装置によれば、掻寄架台の往動時において、往動方向側の当接部材と当接するカム部材によって掻寄羽根が第一揺動位置から上方に揺動されて第二揺動位置とされる一方、掻寄架台の復動時においては、復動方向側の当接部材と当接するカム部材によって掻寄羽根が第二揺動位置から第一揺動位置に復帰可能とされる。
【００１０】
このため、カム部材が復動方向側の当接部材と当接して掻寄羽根が第一揺動位置に復帰してからカム部材が往動方向側の当接部材と当接して掻寄羽根が第二揺動位置とされるまでの往動過程で、掻寄羽根が槽の底に近接することとなるので層底部の堆積物の往動方向側への掻き寄せが可能となる。一方、カム部材が往動方向側の当接部材と当接して掻寄羽根が第二揺動位置とされてからカム部材が復動方向側の当接部材と当接して掻寄羽根が第一揺動位置に復帰するまでの復動過程では、掻寄羽根が槽の底から離間されるので、往動時に掻き寄せた堆積物との接触や堆積物の巻き上げ等が防止される。
【００１１】
ここで、カム部材は、一端部と他端部との間が往復方向に直交する軸回りに回動自在に掻寄架台に支持され、掻寄架台が往動する過程で一端部が往動方向側の当接部材と当接して回動され他端部が掻寄羽根又は掻寄羽根支持手段に当接して掻寄羽根を第一揺動位置から上方に揺動させて第二揺動位置とすると共に、掻寄架台が復動する過程で一端部が復動方向側の当接部材と当接して回動と逆方向に回動され掻寄羽根を第一揺動位置に復帰可能とすることが好ましい。
【００１２】
これによれば、掻寄架台の往動時において、往動方向側の当接部材との当接によるカム部材の回動によって掻寄羽根が第一揺動位置から上方に揺動されて第二揺動位置とされる一方、掻寄架台の復動時においては、復動方向側の当接部材との当接によるカム部材の逆方向の回動によって掻寄羽根が第二揺動位置から第一揺動位置に復帰可能とされ、掻寄羽根の揺動を好適に行える。
【００１３】
ここで、掻寄羽根又は掻寄羽根支持手段には、掻寄羽根が第二揺動位置まで揺動された際にカム部材の他端部と係合して掻寄羽根を前記第二揺動位置にとどめさせる係合部が形成されることが好ましい。
【００１４】
これによれば、掻寄羽根が第二揺動位置にまで揺動された際に、カム部材の他端部と、当該他端部と当接する掻寄羽根又は掻寄羽根支持手段とが係合するので、掻寄羽根が第二揺動位置まで揺動された後に掻寄架台が復動動作する際に、カム部材と往動方向側の当接部材との当接が解除されても、掻寄羽根が第二揺動位置に確実に維持される。
【００１５】
また、第二揺動位置は第一揺動位置よりも往動方向側とされ、掻寄架台に設置され掻寄羽根が第一揺動位置より復動方向側へ揺動することを制限する掻寄羽根揺動制限部材を備えることを制限するが好ましい。
【００１６】
これにより、往動時に、掻寄羽根が堆積物等によって復動方向側への力を受けても第一揺動位置より復動方向側へ揺動しないので、確実に堆積物の掻き寄せがなされる。また、第二揺動位置は第一揺動位置よりも往動方向側なので、この掻寄羽根揺動制限部材がカム部材による掻寄羽根の揺動動作を妨げない。
【００１７】
また、掻寄羽根と掻寄羽根を支持する掻寄羽根支持手段との組合せを複数有し掻寄羽根支持手段は掻寄架台に対して往復方向に複数並設されることが好ましい。
【００１８】
このように複数のフライトを備えると、各々のフライトを上述の一連の動作によって揺動させることができ、堆積物が複数のフライトによって分担して往動方向側に掻き寄せられる。このため、一つのフライトで槽全長の掻き寄せを行う場合に比して掻寄架台の往復運動の距離が短くされ、より効率的な掻寄が可能となる。
【００１９】
また、掻寄羽根の各々の揺動動作を互いに連動させる連結手段を備え、カム部材及び当接部材は少なくとも組合せの内の一つに対して設けられることが好ましい。
【００２０】
これによれば、組合せの内の少なくとも一つの掻寄羽根がカム部材よって揺動されると共に、これに連動して他の組合せに係る掻寄羽根も連結手段によって揺動される。このため、カム部材や当接部材の数を組合せの数に比して少なくできるので、構成が複雑化せず、コストが低く抑えられる。
【００２１】
また、駆動手段は、掻寄架台の往復方向に垂直な軸回りに正逆回転される歯車と、掻寄架台の往復方向に延在すると共に掻寄架台に対して曲折不能に固定され歯車と噛合可能な噛合部材と、を備えることが好ましい。
【００２２】
これによれば、設置やメンテナンスが容易とされると共に、掻寄架台を簡易かつ好適に往復運動させることができる。
【００２３】
【発明の実施の形態】
以下、添付図面を参照しながら、本発明に係る堆積物の掻寄装置の好適な実施形態について詳細に説明する。なお、図面の説明において、同一または相当要素には同一の符号を付し、重複する説明は省略する。
【００２４】
図１は、第１実施形態に係る堆積物の掻寄装置を示す正面模式図、図２は、第１実施形態に係る堆積物の掻寄装置を示す側面模式図である。
【００２５】
本実施形態の堆積物の掻寄装置１は、図１に示すように、槽１０の底面１０ｂに堆積する汚泥等の堆積物を汚泥ピット１０ａに向けて掻き寄せるものであって、堆積物を掻き寄るフライト（掻寄羽根）１２が水平方向にかつ汚泥ピット１０ａに接離する方向に複数配設された梯子状の掻寄架台２０と、この掻寄架台２０を槽１０の底面１０ｂに対して略平行で汚泥ピット１０ａに接離する方向に往復運動させる駆動装置（駆動手段）５０と、を備えている。
【００２６】
掻寄架台２０は、図１及び図２に示すように、この掻寄架台２０の往復方向に延在する２本の平行な駆動方向材２１と、この２本の駆動方向材２１に対して垂直に交差して配置されると共に互いに所定間隔離間された複数の平行材２２と、を備えている。平行材２２と駆動方向材２１とは、図３に示すように、平行材２２に固定された結合板２２ａと、駆動方向材２１に固定された結合板２１ａと、がネジ固定されることによって接続され、梯子型の形状をなしている。
【００２７】
この平行材２２の両端には、図２〜図４に示すように、この平行材２２の軸周りに回転可能なローラ２４が各々設置されている。また、この平行材２２は、図２に示すように、この平行材２２の軸回りに揺動可能とされたアーム（掻寄羽根支持手段）２５を、この平行材２２の軸方向に離間して２つ備えている。各アーム２５の先端部には、図１〜図５に示すように、平行材２２の軸方向に延在し、この槽１０の底面１０ｂに堆積した堆積物を掻き寄せるフライト（掻寄羽根）１２が設置されている。
【００２８】
そして、上述の結合板２２ａは、図３及び図５に示すように、フライト１２が平行材２２のほぼ鉛直下方に垂下する第一揺動位置よりも復動方向側（図５の図示右側）へ揺動しないようにすべく、アーム２５の揺動を制限する突起としてのアームストッパ（掻寄羽根揺動制限部材）２６を備えている。
【００２９】
図１に示すように、往復方向に隣接する３つのアーム２５同士は、これらアーム２５の揺動動作を連動すべく連結部材６０によって連結されている。この連結部材６０は、駆動方向材２１の軸方向に延在し、図３に示すように、各々のアーム２５に対してピン６１で回動自在に連結されている。
【００３０】
駆動装置５０は、図１〜図４に示すように、掻寄架台２０を水平方向に移動可能に支持するガイドレール８２を有している。ガイドレール８２は、図２に示すように、樋状断面を有して掻寄架台２０の往復方向に延在し、槽１０で互いに対向する側壁１０ｃ，１０ｃ上に、槽１０の底面１０ｂに平行に、かつ、樋の開口側が各々掻寄架台２０側を向くように設置されている。そして、このガイドレール８２は、掻寄架台２０の平行材２２の両端のローラ２４をこのガイドレール８２内に各々常時収容している。
【００３１】
このガイドレール８２の底面１０ｂからの高さは、図３及び図５に示すように、掻寄架台２０のアーム２５が第一揺動位置にあるときに、フライト１２の下端がほぼ槽１０の底面１０ｂに達する高さとされている。そして、ガイドレール８２は、掻寄架台２０を槽１０の底面１０ｂと平行な往復運動をするように案内する。
【００３２】
また、駆動装置５０は、図１及び図２に示すように、正逆方向に回転可能な駆動モータ５１と、この駆動モータ５１による駆動力を伝達するチェーン５２と、チェーン５２を介して駆動され掻寄架台２０の往復方向と垂直な水平軸回りに正逆回転されるように槽１０側に支持されるスプロケット（歯車）１０３と、駆動方向材２１に固定部材１０２を介して曲折不能に固定され掻寄架台２０の往復方向に延在してスプロケット１０３と噛合するチェーン（噛合部材）１０１とを備えており、ガイドレール８２によって支持される掻寄架台２０を図示左右方向に往復運動させる。
【００３３】
なお、このような駆動方式は、ピンギア方式と呼ばれ、掻寄架台２０やチェーン１０１等の据え付け等の精度があまり要求されず設置やメンテナンスが容易とされ、堆積物等の夾雑物を含む水中での駆動に適している。また、従来のチェーンフライト式の掻寄装置と比較して回転部や摺動部が少ないために所用動力が少なくてすみ、さらに、チェーンやスプロケット、シューなどの摩耗部材が少なく、構造がシンプルであって低コスト化が可能となっている。さらに、往復方向に延在する長いチェーンがないため、チェーンはずれ等の問題が低減されて掻寄装置１の信頼性を高めることができると共に、長いチェーンの遊びを調節するタイトナ等も不要とされ低コスト化が可能となる。
【００３４】
そして、本実施形態の掻寄装置１は、図１に示すように、掻寄架台２０の位置に応じてフライト１２を揺動動作させるためのカムプレート（カム部材）８７と、カムプレート８７を回動させるホールドピン（当接部材）８３及びリセットピン（当接部材）８４とを備えている。これらのカムプレート８７、ホールドピン８３、リセットピン８４は、互いに連結された３つのアーム２５の内の一つに対して一組設けられている。
【００３５】
ホールドピン８３及びリセットピン８４は、図１〜図５に示すように、各々上下に延びる棒状部材であり、ガイドレール８２の下方で掻寄架台２０の往復方向に互いに離間して一組設置され、往動方向側がホールドピン８３、復動方向側がリセットピン８４とされている。これらホールドピン８３及びリセットピン８４は、図３に示すように各々ステー８５を介して側壁１０ｃに固定されている。ホールドピン８３及びリセットピン８４の側壁１０ｃからの距離は、図４に示すように、ほぼ同等とされている。
【００３６】
カムプレート８７は、図４に示すように一端部８９及び他端部９０を有する細長い板状をなし、図３及び図５に示すように、カムプレートサポート１０８に支持されている。このカムプレートサポート１０８は、垂直下方に延在する回動軸８８を備えると共に、平行材２２の下側でアーム２５よりも外側の部分に設置されており、カムプレート８７の略中央部分をこの回動軸８８によって回動自在に支持する。
【００３７】
そして、図４及び図５に示すように、フライト１２が平行材２２のほぼ垂直下方に垂下する第一揺動位置にある場合に、カムプレート８７の一端部８９は、ホールドピン８３とリセットピン８４との間に位置するようにされる一方、カムプレート８７の他端部９０は、アーム２５よりも復動方向側に位置するようにされている。
【００３８】
また、フライト１２が第一揺動位置とされる場合に、アーム２５で、カムプレート８７の他端部９０と対向する部分には、当該部分及び当該部分よりもやや下部を覆ってアーム２５を補強する補強材１１０が設置されている。補強材１１０で、カムプレートの他端部９０と対向する部分よりもやや下部には、図５に示すように、カムプレート８７の他端部９０の先端と係合可能な凹部（係合部）１１１が形成されている。
【００３９】
次に、このような堆積物の掻寄装置１の作用について説明する。
【００４０】
まず、図４及び図５に示すように、フライト１２が平行材２２からほぼ垂直下方に垂下する第一揺動位置に位置し、槽１０の底に沈殿した堆積物を掻き寄せ可能な状態から説明する。なお、図４及び図５に示されるフライト１２の往動方向側及び復動方向側には、連結部材６０を介して当該フライト１２と連動して揺動動作されるアーム２５及びフライト１２の組が１つづつあるが、これ以降の図４〜図１２では図示を省略する。
【００４１】
まず、この状態から、駆動モータ５１によって掻寄架台２０を白矢印方向（図示左側）、すなわち、汚泥ピット１０ａ方向に向かって動かす（往動）。これにより、各々のフライト１２によって堆積物が汚泥ピット１０ａ方向に掻き寄せられ、堆積物が汚泥ピット１０ａ内に送られる。
【００４２】
なお、フライト１２が堆積物を掻き寄せる際、アーム２５は、堆積物等から図示反時計回り（図５参照）のモーメントを受けるが、アームストッパ２６によってアーム２５のこれ以上の図示反時計方向への揺動が規制されているので、堆積物の掻き寄せが確実に可能とされている。
【００４３】
このような掻き寄せを続けて掻寄架台２０が往動方向側に進むと、図６及び図７に示すように、カムプレート８７の一端部８９が往動方向側にあるホールドピン８３に当接し、カムプレート８７は回動軸８８を中心に、上から見て（図６参照）反時計方向に回動し、他端部９０は補強材１１０を介してアーム２５を往動方向向きに押圧し、フライト１２は、平行材２２を中心に往動方向側へ揺動される。ここで、図７に示すように、アーム２５が上方に揺動されるにつれ、補強材１１０でカムプレート８７の他端部９０が当接する部分は下側にずれて凹部１１１に近づくことになる。また、図７のアーム２５の往復方向に隣接する２つのアーム２５（不図示）も連結部材６０を介して揺動される。
【００４４】
そして、図８及び図９に示すように、掻寄架台２０が往動方向側へさらに進んでカムプレート８７がさらに回動されると、フライト１２がより上方にまで揺動され、カムプレート８７の他端部９０の先端がアーム２５の補強材１１０の凹部１１１と係合し、アーム２５およびフライト１２の重量をカムプレート８７の上面が受けるようになる。このときのフライト１２の揺動位置を第二揺動位置と呼ぶ。これによって、図９に示すように、第一揺動位置に対してフライト１２が汚泥ピット１０ａ側に図示時計回りに十分に傾くこととなり、フライト１２が槽１０の底１０ｂから所定の距離離間されることとなる。
【００４５】
この状態まで掻寄架台２０が往動すると、図示しないロータリーエンコーダ又は近接スイッチがこれを検知して、駆動モータ５１は逆回転を始める。これにより、掻寄架台２０の黒矢印方向への移動が開始され、図１０に示すように、フライト１２が槽１０の底部から離間された状態で掻寄架台２０を元の位置に復帰させる復動がなされる。この時、フライト１２が槽１０の底部から離間されているので、往動時に掻き寄せた堆積物を往動方向側へ戻したり巻き上げたりすることがなくされている。
【００４６】
また、この復動動作の際、カムプレート８７の一端部８９とホールドピン８３との当接は解除されるが、カムプレート８７と補強材１１０の凹部１１１とが係合し、フライト１２やアーム２５の自重がカムプレート８７の板厚方向に伝わって回転方向にはほとんど伝わらないため、フライト１２等の自重によってフライト１２が下方に揺動して第一揺動位置に戻ることが確実に防止されている。
【００４７】
このようにして、掻寄架台２０が復動を続けると、図１１に示すように、カムプレート８７の一端部８９がリセットピン８４に当接し、カムプレート８７は、回動軸８８を中心に上から見て時計回りに回動する。これにより、補強材１１０の凹部１１１とカムプレート８７の他端部９０の先端との係合が解除され、カムプレート８７の回動に従ってフライト１２が第二揺動位置から自重によって下方に揺動する。
【００４８】
そして、図１２に示すように、さらに掻寄架台２０が復動を続けてカムプレート８７がさらに回動すると、フライト１２は第一揺動位置に復帰し、アーム２５の補強材１１０とカムプレート８７の他端部９０との当接が解除される。
【００４９】
この状態まで掻寄架台２０の復動が進むと図示しないロータリーエンコーダ又は近接スイッチがこれを検知し、駆動モータ５１は再び正回転を始める。これにより、掻寄架台２０が白矢印方向に再び移動され、第一揺動位置とされたフライト１２により、堆積物の汚泥ピット１０ａ方向への掻き寄せが可能となる。
【００５０】
そして、このような往動と復動の一連の動作を繰り返すことにより、復動時に堆積物を逆方向に戻すことや巻き上げることを防止しつつ、堆積物を効率よく汚泥ピット１０ａに掻き寄せることが可能となっている。
【００５１】
また、往復方向に並設された複数のフライト１２がこの一連の動作によって揺動されるので、堆積物が複数のフライト１２によって分担して往動側に掻き寄せられ、一つのフライト１２で槽１０の全長の掻き寄せを行う場合に比して掻寄架台２０の往復運動の距離が短くなっている。このため、一つのフライト１２で掻き寄せを行う場合に比して、効率よく掻き寄せが行える。
【００５２】
また、隣接する３つのフライト１２の内の一つのフライト１２が直接カムプレート８７よって揺動され、このフライト１２に隣接する他の２つのフライト１２は連結部材６０によって連動して揺動されるので、カムプレート８７やホールドピン８３やリセットピン８４の数をフライト１２の数に比して少なくできるので、構成が複雑化せず、コストが低く抑えられる。
【００５３】
さらに、本実施形態の掻寄装置１は、汚泥ピット１０ａ等の洗浄が容易に行えると共に、上水道用の槽等においては薬品沈殿の効率を高める傾斜板の設置も容易とされ、さらに、設置に際して、パイプスキーマーなどの設置場所の制約を受けず、駆動部の位置が自由に設定でき、既存の槽の筐体に少ないはつり箇所で容易に設置できるという特徴を有している。
【００５４】
次に、図１３を参照して、第２実施形態に係る堆積物の掻寄装置２について説明する。
【００５５】
本実施形態の堆積物の掻寄装置２が第１実施形態の掻寄装置１と異なる点は、駆動装置５０が、チェーン１０１及び固定部材１０２に代えて、掻寄架台２０の往復方向に延在しスプロケット１０３の正逆回転運動を往復運動に変換するように掛け渡されるチェーン５３と、チェーン５３と駆動方向材２１とを固定しチェーン５３の往復運動を掻寄架台２０に伝達させる固定板５５と、チェーン５３のたるみ等を調節するタイトナ５４と、を備えている点である。
【００５６】
この掻寄装置１によっても、スプロケット１０３の正逆転に応じて、掻寄架台２０が駆動方向材２１の延在方向に好適に往復駆動され、上記実施形態と同様に好適な堆積物の掻き寄せがなされる。
【００５７】
なお、本発明に係る堆積物の掻寄装置は、上記実施形態に限定されるものではなく、種々の変形態様をとることが可能である。
【００５８】
例えば、上記実施形態では、復動時にアーム２５を第二揺動位置に確実に維持すべく、補強材１１０に、カムプレート８７の他端部９０の先端と係合する凹部１１１が形成されているが、これに限られない。例えば、凸部等でもよく、要は、他端部９０と係合してフライト１２を第二揺動位置にとどめさせることが可能であればよい。また、カムプレート８７の回動軸８８から他端までの距離が十分長くアームの揺動角度が大きくなってフライト１０やアーム２５がカムプレート８７に乗ってしまう場合等、カムプレート８７の他端部９０がアーム２５等と係合しなくても復動時にフライト１２が第二揺動位置を維持できる場合には、凹部１１１等を形成しなくても構わない。
【００５９】
また、上記実施形態では、カムプレート８７の他端部９０がアーム２５に当接することによりフライト１２を揺動させているが、アーム２５が短い場合等には、他端部９０が直接フライト１２に当接してこれを揺動させてもよい。
【００６０】
また、上記実施形態では、カムプレート８７は、アーム２５で平行材（水平軸）２２より下方の部分に当接することにより、フライト１２を往動方向側に揺動させているが、アーム２５で平行材２２より上方の部分に当接してフライト１２を復動方向側に揺動させてもよい。
【００６１】
また、上記実施形態では、カムプレート８７は、掻寄架台２０に対して、掻寄架台２０の往復方向に直交する垂直軸回りに回動可能に支持されているが、掻寄架台２０の往復方向に直交する水平軸回りに回動可能に支持されてもよい。この場合は、例えば、ホールドピン８３やリセットピン８４をガイドレール８２よりも上方に配置し、往動時にカムプレート８７の上側の一端部がホールドピン８３と当接して回動されて、カムプレート８７の他端部が平行材２２より下方のアーム２５等に当接してフライト１２を揺動させるようにすればよい。また、カムプレート８７の形状も特に限定されず、ホールドピン８３やリセットピン８４と当接することによりフライト１２を揺動させるものであればよい。
【００６２】
また、上記実施形態の掻寄装置１は、槽１０に沈殿する汚泥を掻き寄せているが、槽の底部に堆積する堆積物であればこれに限られず、例えば粉体等でもよい。
【００６３】
【発明の効果】
本発明の堆積物の掻寄装置では、掻寄架台が往動する過程において、往動方向側の当接部材と当接するカム部材によって掻寄羽根が上方に揺動される一方、掻寄架台が復動する過程において、復動方向側の当接部材と当接するカム部材によって掻寄羽根が下方に復帰可能とされる。
【００６４】
このため、カム部材が復動方向側の当接部材と当接して掻寄羽根が往動位置としての第一揺動位置に復帰してからカム部材が往動方向側の当接部材と当接して掻寄羽根が復動位置としての第二揺動位置とされるまでの往動過程で、掻寄羽根が層の底に近接することとなるので層底部の堆積物の往動方向側への掻き寄せが可能となる。一方、カム部材が往動方向側の当接部材と当接して掻寄羽根が第二揺動位置とされてからカム部材が復動方向側の当接部材と当接して掻寄羽根が第一揺動位置に復帰するまでの復動過程では、掻寄羽根が槽の底から離間されるので、往動時に掻き寄せた堆積物との接触や堆積物の巻き上げ等が確実に防止される。このため、効率的に堆積物を掻き寄せることが可能な堆積物の掻寄装置が提供される。
【図面の簡単な説明】
【図１】第１実施形態に係る堆積物の掻寄装置の正面模式図である。
【図２】図１の掻寄装置の側面模式図である。
【図３】図２中のＡ部の拡大図である。
【図４】図３を上から見た一部破断模式図である。
【図５】図４の正面模式図である。
【図６】図４の状態から、掻寄架台が往動方向に進んでカムプレートがホールドピンに当接した状態を示す一部破断模式図である。
【図７】図６の正面模式図である。
【図８】図６の状態から、掻寄架台がさらに往動方向に進んだ状態を示す一部破断模式図である。
【図９】図８の正面模式図である。
【図１０】図８の状態から、掻寄架台が復動方向に進んだ状態を示す模式図である。
【図１１】図１０の状態から、掻寄架台がさらに復動方向に進んでカムプレートがリセットピンに当接した状態を示す模式図である。
【図１２】図１１の状態から、掻寄架台がさらに復動方向に進んだ状態を示す模式図である。
【図１３】第二実施形態に係る堆積物の掻寄装置の正面模式図である。
【符号の説明】
１，２…堆積物の掻寄装置、１０…槽、１２…フライト（掻寄羽根）、２０…掻寄架台、２５…アーム（掻寄羽根支持手段）、２６…アームストッパ（掻寄羽根揺動制限部材）、５０…駆動装置（駆動手段）、６０…連結部材、８３…ホールドピン（当接部材）、８４…リセットピン（当接部材）、８７…カムプレート（カム部材）、８９…一端部、９０…他端部、１０１…チェーン（噛合部材）、１０３…スプロケット（歯車）、１１１…凹部（係合部）。
【図１】
2004130228.tif 000003
【図２】
2004130228.tif 000004
【図３】
2004130228.tif 000005
【図４】
2004130228.tif 000006
【図５】
2004130228.tif 000007
【図６】
2004130228.tif 000008
【図７】
2004130228.tif 000009
【図８】
2004130228.tif 000010
【図９】
2004130228.tif 000011
【図１０】
2004130228.tif 000012
【図１１】
2004130228.tif 000013
【図１２】
2004130228.tif 000014
【図１３】
2004130228.tif 000015